(57)【要約】【課題】表示画面部の配置の自由度が高く、かつ、表示画面部の形状にかかわらず表示画面部を安定して支持することが可能な表示画面旋回装置を提供する。【解決手段】この表示画面旋回装置１は、台座４と、台座４とは別個に設けられ、表示画面部５０を支持し、台座４に対して水平方向に回動可能に構成された右側回動支持部２と、台座４とは別個に設けられ、表示画面部５０を支持し、右側回動支持部２とは独立して台座４に対して水平方向に回動可能に構成された左側回動支持部３とを備え、右側回動支持部２および左側回動支持部３の少なくともいずれか一方を回動させることにより、表示画面部５０を水平方向に回動させるように構成されている。【選択図】図２
2010091903.tif 000002
【特許請求の範囲】
【請求項１】
台座と、
前記台座とは別個に設けられ、表示画面部を支持し、前記台座に対して水平方向に回動可能に構成された第１回動支持部と、
前記台座とは別個に設けられ、前記表示画面部を支持し、前記第１回動支持部とは独立して前記台座に対して水平方向に回動可能に構成された第２回動支持部とを備え、
前記第１回動支持部および前記第２回動支持部の少なくともいずれか一方を回動させることにより、前記表示画面部を水平方向に回動させるように構成されている、表示画面旋回装置。
【請求項２】
前記第１回動支持部は、前記台座に対して水平方向に摺動するように構成された第１スライド部材と、前記表示画面部を支持し、前記第１スライド部材に対して水平方向に回動可能に構成された第１支持部材とを含み、
前記第２回動支持部は、前記台座に対して水平方向に摺動するように構成された第２スライド部材と、前記表示画面部を支持し、前記第２スライド部材に対して水平方向に回動可能に構成された第２支持部材とを含む、請求項１に記載の表示画面旋回装置。
【請求項３】
前記第１支持部材は、正面側から見て前記表示画面部の左右方向の一方側を支持し、前記第２スライド部材の移動に伴って前記第１スライド部材に対して水平方向に回動するように構成され、
前記第２支持部材は、正面側から見て前記表示画面部の左右方向の他方側を支持し、前記第１スライド部材の移動に伴って前記第２スライド部材に対して水平方向に回動するように構成されている、請求項２に記載の表示画面旋回装置。
【請求項４】
前記台座は、前記第１スライド部材および前記第２スライド部材がそれぞれ水平方向に回動する際に、前記第１スライド部材および前記第２スライド部材の回動をガイドするガイド部を含む、請求項２または３に記載の表示画面旋回装置。
【請求項５】
前記第１スライド部材は、前記台座に対して回動する際に、前記ガイド部に当接することにより、前記第１スライド部材が回動するのを規制する第１回動規制部を有し、
前記第２スライド部材は、前記台座に対して回動する際に、前記ガイド部に当接することにより、前記第２スライド部材が回動するのを規制する第２回動規制部を有する、請求項４に記載の表示画面旋回装置。
【請求項６】
前記台座のガイド部は、前記第１スライド部材および前記第２スライド部材がそれぞれ前記台座から浮き上がるのを規制するように構成されている、請求項４または５に記載の表示画面旋回装置。
【請求項７】
前記第１スライド部材および前記第２スライド部材は、それぞれ、前記台座に当接する側の表面に凸部を有し、前記凸部が前記台座に対して摺動することにより、水平方向に回動するように構成されている、請求項２〜６のいずれか１項に記載の表示画面旋回装置。
【請求項８】
前記台座は、前記第１スライド部材および前記第２スライド部材が外れるのを防止する外れ防止部を含む、請求項２〜７のいずれか１項に記載の表示画面旋回装置。
【発明の詳細な説明】
【技術分野】
【０００１】
この発明は、表示画面旋回装置に関し、特に、表示画面部を水平方向に回動可能に構成された表示画面旋回装置に関する。
【背景技術】
【０００２】
従来、表示画面部を水平方向に回動可能に構成された表示画面旋回装置が知られている（たとえば、特許文献１〜５参照）。
【０００３】
上記特許文献１には、垂直方向に延びるように形成された直立部（軸）を有する台座と、表示画面部を支持する回動部材とを備えた表示画面旋回装置が開示されている。この回動部材は、台座の直立部を回動中心として台座に対して水平方向に回動するように構成されている。これにより、直立部を回動中心として表示画面部を水平方向に回動させることが可能である。
【０００４】
上記特許文献２には、ベース部材（台座）と、薄型ディスプレイ画面が取り付けられるブラケット部材（回動部材）と、ベース部材およびブラケット部材を貫通するように垂直方向に延びる主軸とを備えた薄型ディスプレイ画面の旋回装置（表示画面旋回装置）が開示されている。このブラケット部材は、主軸を回動中心としてベース部材に対して水平方向に回動するように構成されている。これにより、主軸を回動中心として薄型ディスプレイ画面を水平方向に回動させることが可能である。
【０００５】
上記特許文献３には、ディスプレイが載置される回転ベース（回動部材）と、垂直方向に延びるように形成された回転支持突起を有する固定ベース（台座）とを備えた回転支持機構（表示画面旋回装置）が開示されている。この回転ベースは、固定ベースの回転支持突起を回動中心として固定ベースに対して水平方向に回動するように構成されている。これにより、回転支持突起を回動中心としてディスプレイを水平方向に回動させることが可能である。
【０００６】
上記特許文献４には、表示画面を収容するキャビネット（回動部材）と、キャビネットを支持する台座とを備えたキャビネット回転装置（表示画面旋回装置）が開示されている。このキャビネットは、底面に所定の軸を中心とする円弧形状に形成された複数の円弧状リブを有し、台座は、キャビネットの複数の円弧状リブに係合する円弧状溝を有している。そして、キャビネットは、円弧状リブが円弧状溝にガイドされることによって、円弧形状の中心軸を回動中心として台座に対して水平方向に回動するように構成されている。これにより、円弧状リブの円弧形状の中心軸を回動中心として表示画面を水平方向に回動させることが可能である。
【０００７】
上記特許文献５には、表示画面を有する受像器本体と、受像器本体が載置される回転受け台（台座）とを備えた回転装置（表示画面旋回装置）が開示されている。この受像器本体は、底面に下方に突出する一対の回転軸を有し、回転受け台は、上面に受像器本体が載置されることによって、受像器本体側の一対の回転軸がそれぞれ挿入されて摺動可能に構成された円弧形状の一対の移動案内溝を有している。そして、受像器本体は、一方の回転軸が一方の移動案内溝の端部に位置している場合に、一方の回転軸を回動中心として、他方の回転軸が他方の円弧形状の移動案内溝に沿って回転受け台に対して水平方向に回動するように構成されている。これにより、一方の回転軸を回動中心として表示画面を水平方向に回動させることが可能である。また、この回転装置では、上記と同様に、他方の回転軸を回動中心として表示画面を水平方向に回動させることも可能である。なお、上記特許文献５の回転装置では、受像器本体が回転受け台に直接的に載置される構成であり、受像器本体を支持する支持部は設けられていない。
【０００８】
【特許文献１】特開２００８−５１８３０号公報
【特許文献２】特開２００５−２８４０８７号公報
【特許文献３】特開平１０−１３１９４４号公報
【特許文献４】特開平７−２４０８９０号公報
【特許文献５】特開２０００−１８４３１４号公報
【発明の開示】
【発明が解決しようとする課題】
【０００９】
しかしながら、上記特許文献１〜４に記載の表示画面旋回装置では、それぞれ、直立部、主軸、回転支持突起または円弧状リブの円弧形状の中心軸を回動中心として表示画面部を水平方向に回動させることが可能である一方、表示画面部が直立部、主軸、回転支持突起または円弧状リブの円弧形状の中心軸といった１つの軸を回動中心として回動されるので、表示画面部を１つの回動軌道でしか回動させることができず、表示画面部の配置の自由度が低いという問題点がある。
【００１０】
また、上記特許文献５に記載の回転装置では、表示画面を一方の回転軸を回動中心として回動させることが可能であるとともに、他方の回転軸を回動中心として回動させることも可能であるので、上記特許文献１〜４に記載の表示画面旋回装置に比べて表示画面の配置の自由度が高くなる。しかしながら、特許文献５では、受像器本体を支持する支持部が設けられていないので、受像器本体を回転受け台上に自立させる必要がある。このため、薄型ディスプレイなどのように底面の形状が細長形状の受像器本体を用いた場合には、受像器本体の載置状態が不安定になるという問題点がある。
【００１１】
この発明は、上記のような課題を解決するためになされたものであり、この発明の１つの目的は、表示画面部の配置の自由度が高く、かつ、表示画面部の形状にかかわらず表示画面部を安定して支持することが可能な表示画面旋回装置を提供することである。
【課題を解決するための手段および発明の効果】
【００１２】
この発明の一の局面による表示画面旋回装置は、台座と、台座とは別個に設けられ、表示画面部を支持し、台座に対して水平方向に回動可能に構成された第１回動支持部と、台座とは別個に設けられ、表示画面部を支持し、第１回動支持部とは独立して台座に対して水平方向に回動可能に構成された第２回動支持部とを備え、第１回動支持部および第２回動支持部の少なくともいずれか一方を回動させることにより、表示画面部を水平方向に回動させるように構成されている。
【００１３】
この一の局面による表示画面旋回装置では、上記のように、台座に対して水平方向に回動可能に構成された第１回動支持部と、第１回動支持部とは独立して台座に対して水平方向に回動可能に構成された第２回動支持部とを設け、第１回動支持部および第２回動支持部の少なくともいずれか一方を回動させることにより、表示画面部を水平方向に回動させるように構成することによって、第１回動支持部だけを回動させる場合、第２回動支持部だけを回動させる場合、および、第１回動支持部と第２回動支持部との両方を回動させる場合で、それぞれ表示画面部が異なる回動軌道で回動されるので、表示画面部の配置（向きおよび位置）の自由度を高めることができる。また、表示画面部を第１回動支持部および第２回動支持部により支持するように構成することによって、表示画面部を台座上に自立させる必要がないので、表示画面部が薄型の場合にも、第１回動支持部および第２回動支持部により表示画面部を安定して支持することができる。
【００１４】
上記一の局面による表示画面旋回装置において、好ましくは、第１回動支持部は、台座に対して水平方向に摺動するように構成された第１スライド部材と、表示画面部を支持し、第１スライド部材に対して水平方向に回動可能に構成された第１支持部材とを含み、第２回動支持部は、台座に対して水平方向に摺動するように構成された第２スライド部材と、表示画面部を支持し、第２スライド部材に対して水平方向に回動可能に構成された第２支持部材とを含む。このように構成すれば、第１スライド部材（第２スライド部材）を台座に対して摺動させた場合に、第２支持部材（第１支持部材）を第２スライド部材（第１スライド部材）に対して水平方向に回動させることができるので、表示画面部をスムーズに水平方向に回動させることができる。
【００１５】
この場合、好ましくは、第１支持部材は、正面側から見て表示画面部の左右方向の一方側を支持し、第２スライド部材の移動に伴って第１スライド部材に対して水平方向に回動するように構成され、第２支持部材は、正面側から見て表示画面部の左右方向の他方側を支持し、第１スライド部材の移動に伴って第２スライド部材に対して水平方向に回動するように構成されている。このように構成すれば、一方側（他方側）の第１スライド部材（第２スライド部材）を回動させることによって、それに伴って他方側（一方側）を支持する第２支持部材（第１支持部材）も回動されるので、表示画面部をよりスムーズに回動させることができる。
【００１６】
上記第１スライド部材および第２スライド部材を設ける構成において、好ましくは、台座は、第１スライド部材および第２スライド部材がそれぞれ水平方向に回動する際に、第１スライド部材および第２スライド部材の回動をガイドするガイド部を含む。このように構成すれば、第１スライド部材および第２スライド部材をガイド部に沿って回動させることによって、表示画面部をさらにスムーズに回動させることができる。
【００１７】
上記台座がガイド部を含む構成において、好ましくは、第１スライド部材は、台座に対して回動する際に、ガイド部に当接することにより、第１スライド部材が回動するのを規制する第１回動規制部を有し、第２スライド部材は、台座に対して回動する際に、ガイド部に当接することにより、第２スライド部材が回動するのを規制する第２回動規制部を有する。このように構成すれば、第１回動規制部および第２回動規制部を用いて、表示画面部が所定角度以上回動されるのを容易に規制することができる。
【００１８】
上記台座がガイド部を含む構成において、好ましくは、台座のガイド部は、第１スライド部材および第２スライド部材がそれぞれ台座から浮き上がるのを規制するように構成されている。このように構成すれば、表示画面部を水平方向に回動させる際に、第１スライド部材および第２スライド部材が台座から浮き上がるのを防止することができる。
【００１９】
上記第１スライド部材および第２スライド部材を設ける構成において、好ましくは、第１スライド部材および第２スライド部材は、それぞれ、台座に当接する側の表面に凸部を有し、凸部が台座に対して摺動することにより、水平方向に回動するように構成されている。このように構成すれば、第１スライド部材および第２スライド部材は、凸部のみが台座に当接された状態で回動するため、回動時の摩擦に伴う部材同士の擦れ傷が発生する範囲を限定的なものとすることができる。
【００２０】
上記第１スライド部材および第２スライド部材を設ける構成において、好ましくは、台座は、第１スライド部材および第２スライド部材が外れるのを防止する外れ防止部を含む。このように構成すれば、第１スライド部材および第２スライド部材がそれぞれ台座上から外れるのを防止することができるので、第１回動支持部および第２回動支持部により表示画面部をより安定して支持することができる。
【発明を実施するための最良の形態】
【００２１】
以下、本発明を具体化した実施形態を図面に基づいて説明する。
【００２２】
（第１実施形態）
図１は、本発明の第１実施形態による表示画面旋回装置が設けられた液晶表示装置の全体構成を示した斜視図である。図２は、図１に示した本発明の第１実施形態による表示画面旋回装置の全体構成を示した斜視図である。図３〜図６は、図１に示した本発明の第１実施形態による表示画面旋回装置の構成を説明するための図である。まず、図１〜図６を参照して、本発明の第１実施形態による表示画面旋回装置の構成について説明する。
【００２３】
本発明の第１実施形態による表示画面旋回装置１は、図１〜図３に示すように、右側回動支持部２と、左側回動支持部３と、板金製の台座４とを備えている。なお、右側回動支持部２は、本発明の「第１回動支持部」の一例であり、左側回動支持部３は、本発明の「第２回動支持部」の一例である。
【００２４】
右側回動支持部２は、表示画面部５０の正面側から見て右側（矢印Ｘ２方向側）を支持するとともに、左側回動支持部３とは独立して、台座４に対して水平方向（矢印Ａ１およびＡ２方向）に回動するように構成されている。具体的には、右側回動支持部２は、水平面状に形成された板金製のスライド部材２１と、板金製の支持部材２２とを含んでいる。スライド部材２１は、台座４に対して水平方向に回動するとともに、支持部材２２は、表示画面部５０の正面側から見て右側（矢印Ｘ２方向側）を支持するように構成されている。なお、スライド部材２１は、本発明の「第１スライド部材」の一例であり、支持部材２２は、本発明の「第１支持部材」の一例である。
【００２５】
ここで、本実施形態では、スライド部材２１は、図４に示すように、平面的に見て、台座４の矢印Ｘ２方向側に配置されている。また、スライド部材２１は、表示画面部５０が回動されていない状態（図４に示す状態）において、外側（矢印Ｘ２方向側）の側部２１ａが左側回動支持部３の後述する軸部３３を中心とする半径ｒの円弧形状に形成されている。また、円弧形状の側部２１ａの両端部には、側部２１ａの円弧形状の半径方向に突出する突出部２１ｂが形成されている。突出部２１ｂは、スライド部材２１が台座４に対して回動する際に、後述する台座４のガイド部４１に当接することにより、スライド部材２１の回動を規制する機能を有している。なお、突出部２１ｂは、本発明の「第１回動規制部」の一例である。
【００２６】
また、スライド部材２１の内側（矢印Ｘ１方向側）の側部２１ｃは、表示画面部５０が回動されていない状態（図４に示す状態）において、前後方向（矢印Ｙ１およびＹ２方向）に延びる直線形状に形成されている。また、直線形状の側部２１ｃは、図１〜図３、図５および図６に示すように、垂直上向き方向（矢印Ｚ１方向）に折り曲げ加工されている。これにより、スライド部材２１の剛性（機械的強度）が高められている。
【００２７】
また、スライド部材２１の略中央部は、図３〜図６に示すように、上側方向に突出するように絞り加工が施されており、平面的に見て円形形状の山部２１ｄがスライド部材２１に一体的に形成されている。山部２１ｄの上側表面は、略水平面状に形成されている。また、平面的に見て、山部２１ｄの略中央部には、図３および図６に示すように、軸部２３を挿入可能な円形形状の貫通孔２１ｅが形成されている。軸部２３の頭部２３ａは、図６に示すように、絞り加工により凹状に形成された山部２１ｄの下表面側に配置されており、軸部２３の胴部２３ｂは、貫通孔２１ｅに挿入されている。
【００２８】
また、スライド部材２１は、図６に示すように、台座４と当接する側（矢印Ｚ２方向側）の表面に、下方に突出する凸部２１ｆを有している。凸部２１ｆは、図３および図４に示すように、平面的に見て、スライド部材２１の中央部近傍、前方側（矢印Ｙ１方向側）の端部近傍および後方側（矢印Ｙ２方向側）の端部近傍にそれぞれ２つずつ形成されている。また、凸部２１ｆは、平面的に見て、円形形状を有し、台座４と当接する側の表面は水平面状に形成されている。また、６つの凸部２１ｆは、それぞれ、スライド部材２１の下側表面（矢印Ｚ２方向側の表面）から同一高さに突出するように形成されている。これにより、スライド部材２１の下側表面の凸部２１ｆ以外の部分を台座４から離間させた状態で、かつ、水平状態でスライド部材２１を台座４上に載置することが可能である。そして、スライド部材２１は、これら６つの凸部２１ｆが台座４に対して摺動することにより、水平方向に回動するように構成されている。
【００２９】
支持部材２２は、図１〜図３に示すように、上下方向（矢印Ｚ１およびＺ２方向）に延びるように形成された板状の直立部２２ａを有しており、板状の直立部２２ａは、表示画面部５０が回動されていない状態（図４に示す状態）において、厚み方向が左右方向（矢印Ｘ１およびＸ２方向）となるように配置されている。また、直立部２２ａの下端部には、矢印Ｘ２方向側に折り曲げ加工された板状の設置部２２ｂが直立部２２ａに一体的に形成されている。板状の設置部２２ｂは、図５および図６に示すように、水平面状に形成されている。また、設置部２２ｂは、図３および図６に示すように、円形形状の貫通孔２２ｄを有し、貫通孔２２ｄは軸部２３の胴部２３ｂが挿入されるように構成されている。そして、支持部材２２は、図６に示すように、ワッシャ２４を介してスライド部材２１上に配置され、軸部２３のネジ部２３ｃにナット２５が螺合されることによって、スライド部材２１に取り付けられている。これにより、支持部材２２は、スライド部材２１に対して水平方向に回動することが可能となる。また、支持部材２２は、左側回動支持部３の後述するスライド部材３１の回動に伴ってスライド部材２１に対して水平方向に回動するように構成されている。
【００３０】
また、図１〜図３に示すように、支持部材２２の直立部２２ａの前方側（矢印Ｙ１方向側）には、矢印Ｘ１方向側に折り曲げ加工された板状の取付部２２ｃが直立部２２ａに一体的に形成されている。板状の取付部２２ｃは、表示画面部５０が回動されていない状態（図４に示す状態）において、厚み方向が前後方向（矢印Ｙ１およびＹ２方向）となるように配置されている。また、取付部２２ｃは、図５および図６に示すように、下端部がスライド部材２１の折り曲げ加工された側部２１ｃよりも高い位置に配置されている。これにより、取付部２２ｃがスライド部材２１の側部２１ｃに当接されないので、支持部材２２を水平方向にスムーズに回動させることが可能となる。また、取付部２２ｃの上部側には、上下方向に所定距離離間して配置された２つのネジ孔２２ｅが形成されている。そして、図１に示すように、表示画面部５０は、ネジ孔２２ｅに挿入される図示しないネジによって、正面側から見て右側（矢印Ｘ２方向側）の背面が支持部材２２に取り付けられている。これにより、支持部材２２は、後述するように、表示画面部５０を介して左側回動支持部３に連結されるため、左側回動支持部３が台座４に対して水平方向に回動されると、その回動に伴ってスライド部材２１に対して水平方向に回動される。
【００３１】
左側回動支持部３は、表示画面部５０の正面側から見て左側（矢印Ｘ１方向側）を支持するとともに、右側回動支持部２とは独立して、台座４に対して水平方向（矢印Ｂ１およびＢ２方向）に回動するように構成されている。具体的には、左側回動支持部３は、板金製のスライド部材３１と、板金製の支持部材３２とを含んでおり、スライド部材３１は、台座４に対して水平方向に回動するとともに、支持部材３２は、表示画面部５０の正面側から見て左側（矢印Ｘ１方向側）を支持するように構成されている。なお、スライド部材３１は、本発明の「第２スライド部材」の一例であり、支持部材３２は、本発明の「第２支持部材」の一例である。
【００３２】
左側回動支持部３のスライド部材３１および支持部材３２は、それぞれ、右側回動支持部２のスライド部材２１および支持部材２２と同様の構成を有しており、右側回動支持部２のスライド部材２１および支持部材２２とは左右対称に形成されている。このため、左側回動支持部３のスライド部材３１および支持部材３２の説明は省略する。なお、図３に示すように、左側回動支持部３のスライド部材３１の円弧形状の側部３１ａ、突出部３１ｂ、直線形状の側部３１ｃ、山部３１ｄ、貫通孔３１ｅおよび凸部３１ｆは、それぞれ、右側回動支持部２のスライド部材２１の円弧形状の側部２１ａ、突出部２１ｂ、直線形状の側部２１ｃ、山部２１ｄ、貫通孔２１ｅおよび凸部２１ｆに対応している。また、左側回動支持部３の支持部材３２の直立部３２ａ、設置部３２ｂ、取付部３２ｃ、貫通孔３２ｄおよびネジ孔３２ｅは、それぞれ、右側回動支持部２の支持部材２２の直立部２２ａ、設置部２２ｂ、取付部２２ｃ、貫通孔２２ｄおよびネジ孔２２ｅに対応しており、左側回動支持部３の軸部３３、頭部３３ａ、胴部３３ｂ、ネジ部３３ｃ、ワッシャ３４およびナット３５は、それぞれ、右側回動支持部２の軸部２３、頭部２３ａ、胴部２３ｂ、ネジ部２３ｃ、ワッシャ２４およびナット２５に対応している。なお、突出部３１ｂは、本発明の「第２回動規制部」の一例である。
【００３３】
上記のように、右側回動支持部２および左側回動支持部３は、それぞれ、互いに独立して台座４に対して水平方向に回動可能であり、第１実施形態による表示画面旋回装置１は、右側回動支持部２および左側回動支持部３の少なくともいずれか一方を回動させることによって、表示画面部５０を水平方向に回動させることが可能に構成されている。なお、右側回動支持部２および左側回動支持部３の両方の回動を組み合わせて、表示画面部５０を回動させることも可能である。
【００３４】
台座４は、図１〜図４に示すように、水平面状に板状に形成されている。また、台座４は、平面的に見て、コーナ部が円弧形状に形成された略矩形形状を有し、左右方向（矢印Ｘ１およびＸ２方向）が長手方向となるように配置されている。また、台座４は、図４に示すように、表示画面部５０が回動されていない状態において、スライド部材２１の円弧形状の側部２１ａおよびスライド部材３１の円弧形状の側部３１ａに沿うように切り起こし加工により台座４に一体的に形成されたガイド部４１を有している。
【００３５】
ガイド部４１は、スライド部材２１側およびスライド部材３１側にそれぞれ２つずつ設けられている。また、ガイド部４１は、スライド部材２１およびスライド部材３１が回動する際に、スライド部材２１の側部２１ａおよびスライド部材３１の側部３１ａに沿って回動をガイドする機能を有している。また、ガイド部４１の根元部分は、スライド部材２１およびスライド部材３１の厚みよりも若干大きい高さまで上方向に持ち上げられ、それ以降の部分は、台座４の外側から内側に向かって水平方向に延びるように形成されている。また、ガイド部４１は、平面的に見て、スライド部材２１およびスライド部材３１の一部に重なるように配置されており、スライド部材２１が台座４から浮き上がるのを規制するように構成されている。
【００３６】
また、台座４は、図４に示すように、前後方向（矢印Ｙ１およびＹ２方向）の略中央部において、表示画面部５０が回動されていない状態のスライド部材２１の側部２１ｃよりも内側の位置およびスライド部材３１の側部３１ｃよりも内側の位置に、それぞれ、絞り加工により上側に突出するように台座４に一体的に形成された２つの第１外れ防止部４２を有している。さらに、台座４は、表示画面部５０が回動されていない状態において、スライド部材２１およびスライド部材３１よりも前方側（矢印Ｙ１方向側）で、２つの第１外れ防止部４２よりも内側に配置された２つの第２外れ防止部４３を有している。第２外れ防止部４３は、第１外れ防止部と同様に、絞り加工により上側に突出するように台座４に一体的に形成されている。なお、第１外れ防止部４２および第２外れ防止部４３は、それぞれ、本発明の「外れ防止部」の一例である。
【００３７】
また、矢印Ｘ２方向側に設けられた第１外れ防止部４２および第２外れ防止部４３は、それぞれ、スライド部材２１が回動される際に、スライド部材２１が第１外れ防止部４２および第２外れ防止部４３よりも内側方向（矢印Ｘ１方向）に外れるのを防止するように構成されている。また、矢印Ｘ１方向側に設けられた第１外れ防止部４２および第２外れ防止部４３は、それぞれ、スライド部材３１が回動される際に、スライド部材３１が第１外れ防止部４２および第２外れ防止部４３よりも内側方向（矢印Ｘ２方向）に外れるのを防止するように構成されている。これにより、スライド部材２１およびスライド部材３１は、それぞれ、台座４上から外れるのを防止されるので、右側回動支持部２および左側回動支持部３により安定して表示画面部５０を支持することが可能となる。また、第１外れ防止部４２および第２外れ防止部４３は、それぞれ、平面的に見て、円形形状を有しており、スライド部材２１およびスライド部材３１が当接する際に、滑らかに当接されるように構成されている。
【００３８】
図７〜図１０は、それぞれ、図１に示した本発明の第１実施形態による表示画面旋回装置の回動動作を説明するための図である。図４および図７〜図１０を参照して、本発明の第１実施形態による表示画面旋回装置１の回動動作について説明する。
【００３９】
まず、図４に示す表示画面部５０が回動されていない状態から、図７に示すように、左側回動支持部３のスライド部材３１をガイド部４１に沿って矢印Ｂ２方向に回動させると、スライド部材３１の回動に伴って右側回動支持部２の支持部材２２がスライド部材２１に対して水平方向に回動される。そして、スライド部材３１が所定の角度回動されると、スライド部材３１の前方側（矢印Ｙ１方向側）の突出部３１ｂがガイド部４１に当接されてスライド部材３１の回動が規制される。このようにして、表示画面部５０は、平面的に見て時計回り方向にα度回動される。
【００４０】
その後、図８に示すように、右側回動支持部２のスライド部材２１を矢印Ａ１方向に回動させると、スライド部材２１の回動に伴って左側回動支持部３の支持部材３２がスライド部材３１に対して水平方向に回動される。そして、図９に示すように、スライド部材２１をさらに回動させると、スライド部材２１の後方側（矢印Ｙ２方向側）の突出部２１ｂがガイド部４１に当接されてスライド部材２１の回動が規制される。このようにして、表示画面部５０は、平面的に見て時計回り方向にβ度回動される。この際、スライド部材２１は、直線形状の側部２１ｃが第１外れ防止部４２および第２外れ防止部４３に当接されることによって、第１外れ防止部４２および第２外れ防止部４３よりも内側（矢印Ｘ１方向側）にずれるのを規制されている。
【００４１】
また、図１０に示すように、左側回動支持部３のスライド部材３１および右側回動支持部２のスライド部材２１の両方を回動させた場合でも、図７に示す左側回動支持部３のスライド部材３１だけを回動させた場合のように、表示画面部５０を平面的に見て時計回り方向にα度回動させることが可能である。なお、図７に示す状態と図１０に示す状態とでは、表示画面部５０の回動角度はα度で同じであるが、前後方向（矢印Ｙ１およびＹ２方向）の位置は異なっている。具体的には、図４の状態に比べて、図１０の表示画面部５０はより前方側に配置されている。すなわち、第１実施形態による表示画面旋回装置１は、異なる複数の回動軌道で表示画面部５０を水平方向に回動させることが可能であり、１つの回動軌道で表示画面部５０を回動させる場合に比べて、表示画面部５０の配置の自由度が高くなっている。
【００４２】
第１実施形態では、上記のように、台座４に対して水平方向に回動可能に構成された右側回動支持部２と、右側回動支持部２とは独立して台座４に対して水平方向に回動可能に構成された左側回動支持部３とを設け、右側回動支持部２および左側回動支持部３の少なくともいずれか一方を回動させることにより、表示画面部５０を水平方向に回動させるように構成することによって、右側回動支持部２だけを回動させる場合、左側回動支持部３だけを回動させる場合、および、右側回動支持部２と左側回動支持部３との両方を回動させる場合で、それぞれ表示画面部５０が異なる回動軌道で回動されるので、表示画面部５０の配置（向きおよび位置）の自由度を高めることができる。また、表示画面部５０を右側回動支持部２および左側回動支持部３により支持するように構成することによって、表示画面部５０を台座４上に自立させる必要がないので、表示画面部５０が薄型の場合にも、右側回動支持部２および左側回動支持部３により表示画面部５０を安定して支持することができる。
【００４３】
また、第１実施形態では、支持部材２２を、正面側から見て表示画面部５０の右側を支持し、スライド部材３１の移動に伴ってスライド部材２１に対して水平方向に回動するように構成するとともに、支持部材３２を、正面側から見て表示画面部５０の左側を支持し、スライド部材２１の移動に伴ってスライド部材３１に対して水平方向に回動するように構成することによって、一方側（他方側）のスライド部材２１（スライド部材３１）が回動されると、それに伴って他方側（一方側）を支持する支持部材３２（支持部材２２）も回動されるので、表示画面部５０をスムーズに回動させることができる。
【００４４】
また、第１実施形態では、スライド部材２１およびスライド部材３１がそれぞれ水平方向に回動する際に、スライド部材２１およびスライド部材３１の回動をガイドするガイド部４１を台座４に設けることによって、スライド部材２１およびスライド部材３１をガイド部４１に沿って回動させると、表示画面部５０をスムーズに回動させることができる。
【００４５】
また、第１実施形態では、スライド部材２１（スライド部材３１）に、台座４に対して回動する際に、ガイド部４１に当接することによりスライド部材２１（スライド部材３１）が回動するのを規制する突出部２１ｂ（３１ｂ）を設けることによって、突出部２１ｂ（３１ｂ）を用いて、表示画面部５０が所定角度以上回動されるのを容易に規制することができる。
【００４６】
また、第１実施形態では、台座４のガイド部４１を、スライド部材２１およびスライド部材３１がそれぞれ台座４から浮き上がるのを規制するように構成することによって、表示画面部５０を水平方向に回動させる際に、スライド部材２１およびスライド部材３１が台座４から浮き上がるのを防止することができる。
【００４７】
また、第１実施形態では、スライド部材２１（スライド部材３１）の台座４に当接する側の表面に凸部２１ｆ（３１ｆ）を設け、凸部２１ｆ（３１ｆ）が台座４に対して摺動することにより、水平方向に回動するようにスライド部材２１（スライド部材３１）を構成することによって、スライド部材２１（スライド部材３１）は、凸部２１ｆ（３１ｆ）のみが台座４に当接された状態で回動するため、回動時の摩擦に伴う部材同士の擦れ傷が発生する範囲を限定的なものとすることができる。
【００４８】
（第２実施形態）
図１１は、本発明の第２実施形態による表示画面旋回装置が設けられた液晶表示装置の全体構成を示した斜視図である。図１２〜図１５は、図１１に示した本発明の第２実施形態による表示画面旋回装置の構成を説明するための図である。図１１〜図１５を参照して、この第２実施形態では、上記第１実施形態と異なり、表示画面部５０を水平方向に加えて前後方向にも回動させることが可能な表示画面旋回装置１００について説明する。
【００４９】
本発明の第２実施形態による表示画面旋回装置１００は、図１１〜図１４に示すように、右側回動支持部１０２と、左側回動支持部１０３と、板金製の台座４とを備えている。なお、右側回動支持部１０２は、本発明の「第１回動支持部」の一例であり、左側回動支持部１０３は、本発明の「第２回動支持部」の一例である。
【００５０】
右側回動支持部１０２は、表示画面部５０の正面側から見て右側（矢印Ｘ２方向側）を支持するとともに、左側回動支持部１０３とは独立して、台座４に対して水平方向（矢印Ａ１およびＡ２方向）に回動するように構成されている。具体的には、右側回動支持部１０２は、板金製のスライド部材２１と、支持部材１２２とを含んでおり、スライド部材２１は、台座４に対して水平方向に回動するとともに、支持部材１２２は、表示画面部５０の正面側から見て右側（矢印Ｘ２方向側）を支持するように構成されている。なお、支持部材１２２は、本発明の「第１支持部材」の一例である。
【００５１】
支持部材１２２は、図１３に示すように、表示画面支持部材１２３と、台座側支持部材１２４と、板金製の板状の支持軸１２５と、板金製の抜止部材１２６と、２つの金属製の皿ばね１２７と、２つの板金製の圧接板１２８と、２つの金属製の皿ばね１２７に当接する板部材１２９とを含んでいる。
【００５２】
表示画面支持部材１２３は、図１１〜図１３に示すように、上下方向（矢印Ｚ１およびＺ２方向）に延びるように形成された板状の直立部１２３ａを有しており、板状の直立部１２３ａは、表示画面部５０が回動されていない状態において、厚み方向が左右方向（矢印Ｘ１およびＸ２方向）となるように配置されている。また、直立部１２３ａの前方側（矢印Ｙ１方向側）には、矢印Ｘ１方向側に折り曲げ加工された板状の取付部１２３ｂが直立部１２３ａに一体的に形成されている。板状の取付部１２３ｂは、表示画面部５０が回動されていない状態において、厚み方向が前後方向（矢印Ｙ１およびＹ２方向）となるように配置されている。また、取付部１２３ｂは、図１５に示すように、下端部がスライド部材２１の折り曲げ加工された側部２１ｃよりも高い位置に配置されている。また、取付部１２３ｂの上部側には、上下方向に所定距離離間して配置された２つのネジ孔１２３ｃが形成されている。そして、図１１に示すように、表示画面部５０は、ネジ孔１２３ｃに挿入される図示しないネジによって、正面側から見て右側（矢印Ｘ２方向側）の背面が支持部材１２２に取り付けられている。
【００５３】
また、図１３に示すように、直立部１２３ａの下端部近傍には、扇形状の第１穴部１２３ｄが形成されている。この扇形状の第１穴部１２３ｄは、板状の支持軸１２５を挿入するために設けられている。また、扇形状の第１穴部１２３ｄは、円心側の根元部が上側に位置するように配置されているとともに、円心側の根元部が支持軸１２５の上面と当接されるように構成されている。また、表示画面支持部材１２３は、板状の支持軸１２５に支持された扇形状の第１穴部１２３ｄの根元部を中心にして、板状の支持軸１２５に対して扇形状の角度範囲で回動可能に構成されている。この際、板金製の板状の支持軸１２５は、表示画面支持部材１２３の回動軸として機能する。
【００５４】
台座側支持部材１２４は、図１３に示すように、上部側が円弧形状に形成された円弧部１２４ａを有しており、円弧部１２４ａは、厚み方向が左右方向（矢印Ｘ１およびＸ２方向）となるように配置されている。また、円弧部１２４ａの下部側には、矢印Ｘ２方向側に水平方向に折り曲げ加工された板状の設置部１２４ｂが円弧部１２４ａに一体的に形成されている。板状の設置部１２４ｂは、図１５に示すように、水平面状に形成されている。また、設置部１２４ｂは、図１３に示すように、円形形状の貫通孔１２４ｃを有し、貫通孔１２４ｃは軸部２３の胴部２３ｂが挿入されるように構成されている。そして、支持部材１２２は、ワッシャ２４を介してスライド部材２１上に配置され、軸部２３のネジ部２３ｃにナット２５が螺合されることによって、スライド部材２１に取り付けられている。これにより、支持部材１２２は、スライド部材２１に対して水平方向に回動することが可能となる。また、支持部材１２２は、左側回動支持部１０３のスライド部材３１の回動に伴ってスライド部材２１に対して水平方向に回動するように構成されている。
【００５５】
また、台座側支持部材１２４の円弧部１２４ａには、図１３に示すように、扇形状の第２穴部１２４ｄが設けられている。また、扇形状の第２穴部１２４ｄは、板状の支持軸１２５を挿入するために設けられている。また、扇形状の第２穴部１２４ｄは、円心側の根元部が下側に位置するように配置されているとともに、支持軸１２５の下面と当接されるように構成されている。また、支持軸１２５は、台座側支持部材１２４の扇形状の第２穴部１２４ｄの根元部を中心にして、台座側支持部材１２４に対して扇形状の角度範囲で回動可能に構成されている。
【００５６】
板金製の板状の支持軸１２５は、図１３に示すように、略Ｔ字形状に形成されている。また、支持軸１２５の矢印Ｘ２方向側の端部近傍には、長方形状の穴部１２５ａが形成されており、抜止部材１２６を挿入するために設けられている。
【００５７】
板金製の抜止部材１２６は、クサビ状に形成されている。これにより、抜止部材１２６が板状の支持軸１２５に設けられた長方形状の穴部１２５ａに挿入された際に、抜止部材１２６が容易に抜け落ちるのを抑制することが可能である。
【００５８】
２つの金属製の皿ばね１２７は、それぞれ互いに凸となる向きに重ね合わせた状態で、表示画面支持部材１２３の内側に配置された圧接板１２８の内側に配置されている。また、２つの圧接板１２８には、それぞれ、支持軸１２５を挿入するための長方形状の穴部１２８ａが設けられている。また、２つの圧接板１２８は、それぞれ、表示画面支持部材１２３の内側および台座側支持部材１２４の外側に配置されている。また、板部材１２９には、支持軸１２５を挿入するための長方形の穴部１２９ａが設けられている。また、板部材１２９は、皿ばね１２７の内側に配置されている。
【００５９】
第２実施形態による支持部材１２２では、上記のように構成することによって、板金製の板状の支持軸１２５を回動軸として、前後方向に回動させることが可能となり、その結果、表示画面部５０を前後方向に回動させることが可能となる。また、表示画面支持部材１２３と台座側支持部材１２４とは、２つの皿ばね１２７の付勢力により押し付けられているので、両者の間には所定の大きさの摩擦力が働いている。この摩擦力によって、表示画面部５０を前後方向に傾斜させた場合に、傾斜した状態を保持することが可能となる。
【００６０】
左側回動支持部１０３は、表示画面部５０の正面側から見て左側（矢印Ｘ１方向側）を支持するとともに、右側回動支持部１０２とは独立して、台座４に対して水平方向（矢印Ｂ１およびＢ２方向）に回動するように構成されている。具体的には、左側回動支持部１０３は、板金製のスライド部材３１と、支持部材１３２とを含んでおり、スライド部材３１は、台座４に対して水平方向に回動するとともに、支持部材１３２は、表示画面部５０の正面側から見て左側（矢印Ｘ１方向側）を支持するように構成されている。なお、支持部材１３２は、本発明の「支持部材３２」の一例である。
【００６１】
左側回動支持部１０３の支持部材１３２は、右側回動支持部１０２の支持部材１２２と同様の構成を有しており、右側回動支持部１０２の支持部材１２２とは左右対称に形成されている。このため、左側回動支持部１０３の支持部材１３２の説明は省略する。なお、左側回動支持部１０３の支持部材１３２の表示画面支持部材１３３、台座側支持部材１３４、板金製の板状の支持軸１３５、板金製の抜止部材１３６、２つの金属製の皿ばね１３７、２つの板金製の圧接板１３８および板部材１３９は、それぞれ、右側回動支持部１０２の支持部材１２２の表示画面支持部材１２３、台座側支持部材１２４、板金製の板状の支持軸１２５、板金製の抜止部材１２６、２つの金属製の皿ばね１２７、２つの板金製の圧接板１２８および板部材１２９に対応している。また、左側回動支持部１０３の表示画面支持部材１３３の直立部１３３ａ、取付部１３３ｂ、ネジ孔１３３ｃおよび第１穴部１３３ｄは、それぞれ、右側回動支持部１０２の表示画面支持部材１２３の直立部１２３ａ、取付部１２３ｂ、ネジ孔１２３ｃおよび第１穴部１２３ｄに対応しており、左側回動支持部１０３の台座側支持部材１３４の円弧部１３４ａ、設置部１３４ｂ、貫通孔１３４ｃおよび第２穴部１３４ｄは、それぞれ、右側回動支持部１０２の台座側支持部材１２４の円弧部１２４ａ、設置部１２４ｂ、貫通孔１２４ｃおよび第２穴部１２４ｄに対応している。また、左側回動支持部１０３の支持軸１３５の穴部１３５ａ、圧接板１３８の穴部１３８ａ、板部材１３９の穴部１３９ａは、それぞれ、右側回動支持部１０２の支持軸１２５の穴部１２５ａ、圧接板１２８の穴部１２８ａ、板部材１２９の穴部１２９ａに対応している。
【００６２】
なお、第２実施形態のその他の構造は、上記第１実施形態と同様である。
【００６３】
第２実施形態では、上記のように、表示画面部５０を前後方向に回動可能に構成することによって、表示画面部５０を水平方向に加えて前後方向にも回動させることができるので、表示画面部５０の配置の自由度をさらに高めることができる。
【００６４】
なお、第２実施形態のその他の効果は、上記第１実施形態と同様である。
【００６５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内のすべての変更が含まれる。
【００６６】
たとえば、上記第１実施形態および第２実施形態では、第１支持部材および第２支持部材を、それぞれ、第１スライド部材および第２スライド部材に対して水平方向に回動可能に構成する例を示したが、本発明はこれに限らず、第１支持部材および第２支持部材が、それぞれ、第１スライド部材および第２スライド部材に対して回動しない構成であってもよい。
【００６７】
また、上記第１実施形態および第２実施形態では、スライド部材の凸部が台座に対して摺動する構成の例を示したが、本発明はこれに限らず、凸部を設けず、スライド部材の台座側の表面全体が摺動する構成であってもよいし、スライド部材と台座との間に摩擦抵抗を低減させるためのテフロン（登録商標）からなるシートなどを用いる構成であってもよい。
【００６８】
また、上記第１実施形態および第２実施形態では、外れ防止部の一例として、絞り加工により形成した外れ防止部を示したが、本発明はこれに限らず、図１６に示すように、バーリング加工により形成した外れ防止部１４２、１４３であってもよい。
【００６９】
また、上記第１実施形態および第２実施形態では、ガイド部を、スライド部材２１側およびスライド部材３１側にそれぞれ２つずつ設ける例を示したが、本発明はこれに限らず、スライド部材２１側およびスライド部材３１側にそれぞれ１つずつ設けてもよいし、それぞれ３つ以上ずつ設けてもよい。また、スライド部材２１側とスライド部材３１側とで異なる個数のガイド部を設けてもよい。
【００７０】
また、上記第１実施形態および第２実施形態では、第１回動規制部および第２回動規制部の一例として、スライド部材の側部の円弧形状の半径方向に突出した突出部を示したが、本発明はこれに限らず、ガイド部に当接する構成であれば、スライド部材の両端部から上方に延びるように形成された第１回動規制部および第２回動規制部であってもよいし、スライド部材上に凸状に形成された第１回動規制部および第２回動規制部であってもよい。
【００７１】
また、上記第１実施形態および第２実施形態では、スライド部材の一例として、内側の側部を折り曲げ加工したスライド部材を示したが、本発明はこれに限らず、前後方向（矢印Ｙ１およびＹ２方向）の両端部を折り曲げ加工したスライド部材であってもよいし、一切折り曲げ加工していないスライド部材であってもよい。
【図面の簡単な説明】
【００７２】
【図１】本発明の第１実施形態による表示画面旋回装置が設けられた液晶表示装置の全体構成を示した斜視図である。
【図２】図１に示した本発明の第１実施形態による表示画面旋回装置の全体構成を示した斜視図である。
【図３】図１に示した本発明の第１実施形態による表示画面旋回装置の全体構成を示した分解斜視図である。
【図４】図１に示した本発明の第１実施形態による表示画面旋回装置の全体構成を示した平面図である。
【図５】図１に示した本発明の第１実施形態による表示画面旋回装置の全体構成を示した背面図である。
【図６】図４の１００−１００線に沿った断面図である。
【図７】図１に示した本発明の第１実施形態による表示画面旋回装置の回動動作を説明するための平面図である。
【図８】図１に示した本発明の第１実施形態による表示画面旋回装置の回動動作を説明するための平面図である。
【図９】図１に示した本発明の第１実施形態による表示画面旋回装置の回動動作を説明するための平面図である。
【図１０】図１に示した本発明の第１実施形態による表示画面旋回装置の回動動作を説明するための平面図である。
【図１１】本発明の第２実施形態による表示画面旋回装置が設けられた液晶表示装置の全体構成を示した斜視図である。
【図１２】図１１に示した本発明の第２実施形態による表示画面旋回装置の全体構成を示した斜視図である。
【図１３】図１１に示した本発明の第２実施形態による表示画面旋回装置の全体構成を示した分解斜視図である。
【図１４】図１１に示した本発明の第２実施形態による表示画面旋回装置の全体構成を示した平面図である。
【図１５】図１１に示した本発明の第２実施形態による表示画面旋回装置の全体構成を示した背面図である。
【図１６】本発明の第１実施形態および第２実施形態の変形例を示した平面図である。
【符号の説明】
【００７３】
１、１００    表示画面旋回装置
２、１０２    右側回動支持部（第１回動支持部）
３、１０３    左側回動支持部（第２回動支持部）
４    台座
２１    スライド部材（第１スライド部材）
２１ｂ    突出部（第１回動規制部）
２１ｆ    凸部
２２、１２２    支持部材（第１支持部材）
３１    スライド部材（第２スライド部材）
３１ｂ    突出部（第２回動規制部）
３１ｆ    凸部
３２、１３２    支持部材（支持部材３２）
４１    ガイド部
４２    第１外れ防止部（外れ防止部）
４３    第２外れ防止部（外れ防止部）
５０    表示画面部
【図１】
2010091903.tif 000003
【図２】
2010091903.tif 000004
【図３】
2010091903.tif 000005
【図４】
2010091903.tif 000006
【図５】
2010091903.tif 000007
【図６】
2010091903.tif 000008
【図７】
2010091903.tif 000009
【図８】
2010091903.tif 000010
【図９】
2010091903.tif 000011
【図１０】
2010091903.tif 000012
【図１１】
2010091903.tif 000013
【図１２】
2010091903.tif 000014
【図１３】
2010091903.tif 000015
【図１４】
2010091903.tif 000016
【図１５】
2010091903.tif 000017
【図１６】
2010091903.tif 000018